(57)【要約】      （修正有）【課題】簡単に商品の仮想試着ができ、更に、洗濯方法等の商品情報を提供して、顧客が納得して商品購入決定できるようにしたインターネットを利用した情報提供システムを提供する。【解決手段】通信端末は、顧客のデジタル画像体型データを入力する手段と、選択情報を入力する手段と、前記データと前記選択情報とを商品情報管理サーバに送信する手段と、商品情報管理サーバから情報を受信する手段と、表示手段とを有し、商品情報管理サーバは、画像商品データベースと、商品情報データベースと、通信端末から受信した選択情報に基づき特定された商品番号から関係付けられて登録されているデジタル画像商品データと商品情報を抽出する抽出手段と、抽出されたデジタル画像商品データと、通信端末から受信したデジタル画像体型データとを組み合わせて試着イメージデータを作成する手段と、試着イメージデータと商品情報とを通信端末に送信する手段とを有する。【選択図】図１
2006251839.tif 000002
【特許請求の範囲】
【請求項１】
通信端末と、前記通信端末とインターネットを介して通信可能に接続された商品情報管理サーバとにより、顧客に販売するための商品に関する試着情報及び商品情報を提供することができるインターネットを利用した情報提供システムであって、
前記通信端末は、顧客の体型を撮影した体型画像のデジタル画像体型データを入力する手段と、前記顧客が選択情報を入力する手段と、前記デジタル画像体型データと前記選択情報とをインターネットを介して前記商品情報管理サーバに送信する手段と、前記商品情報管理サーバから情報を受信する手段と、前記商品情報管理サーバから受信した試着イメージデータと商品情報とを表示する手段とを有し、
前記商品情報管理サーバは、商品番号と関係付けられて、商品を撮影した商品画像のデジタル画像商品データが登録された商品画像データベースと、商品番号と関係付けられて、商品情報が登録された商品情報データベースと、前記通信端末から受信した選択情報に基づき特定された商品番号から、該商品番号と関係付けられて登録されている前記デジタル画像商品データと前記商品情報を抽出する抽出手段と、前記抽出手段で抽出されたデジタル画像商品データと、前記通信端末から受信したデジタル画像体型データとを組み合わせて試着イメージデータを作成する手段と、前記試着イメージデータと、前記商品情報データベースで前記商品番号と関係付けられて登録されている商品情報とを前記通信端末に送信する手段と、
を有することを特徴とするインターネットを利用した情報提供システム。
【請求項２】
前記商品が、衣服であり、前記商品情報が、衣服の洗濯表示に関する情報であることを特徴とする請求項１記載のインターネットを利用した情報提供システム。
【発明の詳細な説明】
【技術分野】
【０００１】
本発明は、インターネットを利用して、顧客に試着情報及び商品情報を提供することができるインターネットを利用した情報提供システムに関する。
【背景技術】
【０００２】
従来、インターネットを利用したオンラインショッピングが行なわれ、顧客は自宅などに居ながらパソコンを使用して種々の商品の購入申込みを行なうことができるようになっている。
このようなオンラインショッピングでは、顧客がパソコンのディスプレイに表示された商品の画像や、商品価格などの商品情報を見ながら商品の品定めを行い、また、商品購入申込みもインターネットを介してできるようにシステム化されている。
【０００３】
しかしながら、オンラインショッピングは、商品を販売している店舗に行かないでも、通信端末を使用して、どこからでもアクセスして商品の注文を行なえるという利便性があるものの、顧客が商品の現物を見ないで商品の購入申込みをするために、注文した商品が宅配便などで自宅に届いた際に、顧客が思っていた商品イメージと違っていたと感じる場合もあり、顧客が安心して商品の購入申込みを行なえないという問題がある。
特に、商品が衣服であって、衣服をオンラインショッピングで購入する場合には、試着をしないで購入してしまうので、購入後に実際に着てみたら想像していたイメージと違っていたり、また洗濯方法の面倒であったりなど、顧客が商品の注文を行なう際に安心して注文できないという問題がある。
【０００４】
このようなことから、従来技術として仮想試着システムが提案されている。（例えば、特許文献１参照）
この仮想試着システムでは、顧客が予め自己の身体寸法の実測値をショッピングサーバに登録しておくことで、仮想試着できるようにしてある。
しかしながら、顧客が自己の身体寸法を測定するのは面倒であり、一人では簡単に測れないこともあり、気軽に仮想試着システムを利用できないという問題がある。
また、仮に顧客が仮想試着することで、デザインなどが気に入ったとしても、その衣服の洗濯方法が面倒であることもあり、商品を購入する前に、商品である衣服の洗濯方法に関する情報が入手できないので、顧客が商品購入を決定する前に知りたいと望むであろう情報がユーザーに提供されないまま商品購入の判断を行なわなければならないという問題がある。
【特許文献１】特開２００２−１８３５４２号公報
【発明の開示】
【発明が解決しようとする課題】
【０００５】
本発明は、上記の問題点を解決するために、インターネットを利用したオンラインショッピングなどで、顧客が自己の身体寸法を測定しないでも、簡単に商品の仮想試着を行なうことができ、更に、商品である衣服の洗濯方法に関する商品情報を、顧客が商品を購入する前に提供できるようにすることで、顧客が納得して商品購入を決定できるようにしたインターネットを利用した情報提供システムを提供することを目的とする。
【課題を解決するための手段】
【０００６】
本発明のインターネットを利用した情報提供システムは、通信端末と、前記通信端末とインターネットを介して通信可能に接続された商品情報管理サーバとにより、顧客に試着情報及び商品情報を提供することができるインターネットを利用した情報提供システムであって、前記通信端末は、顧客の体型を撮影した体型画像のデジタル画像体型データを入力する手段と、前記顧客が選択情報を入力する手段と、前記デジタル画像体型データと前記選択情報とをインターネットを介して前記商品情報管理サーバに送信する手段と、前記商品情報管理サーバから情報を受信する手段と、前記商品情報管理サーバから受信した試着イメージデータと商品情報とを表示する手段とを有し、前記商品情報管理サーバは、商品番号と関係付けられて、商品を撮影した商品画像のデジタル画像商品データが登録された商品画像データベースと、商品番号と関係付けられて、商品情報が登録された商品情報データベースと、前記通信端末から受信した選択情報に基づき特定された商品番号から、該商品番号と関係付けられて登録されている前記デジタル画像商品データと前記商品情報を抽出する抽出手段と、前記抽出手段で抽出されたデジタル画像商品データと、前記通信端末から受信したデジタル画像体型データとを組み合わせて試着イメージデータを作成する手段と、前記試着イメージデータと、前記商品情報データベースで前記商品番号と関係付けられて登録されている商品情報とを前記通信端末に送信する手段と、を有することを特徴とする。
【０００７】
また、本発明のインターネットを利用した情報提供システムは、前記商品が、衣服であり、前記商品情報が、衣服の洗濯表示に関する情報であることを特徴とする。
【発明の効果】
【０００８】
本発明のインターネットを利用した情報提供システムは、顧客の体型を撮影した体型画像のデジタル画像体型データを商品情報管理サーバに送信するだけで、簡単に仮想試着した状態の試着イメージ画像と商品情報を見ることができるので、顧客が納得して商品購入を決定できるという効果がある。
【０００９】
更に、本発明のインターネットを利用した情報提供システムは、顧客が商品を購入する前に、商品である衣服の洗濯表示に関する情報を顧客が入手できるので、顧客が購入する衣服の洗濯条件を納得した上で安心して商品購入を決定できるという効果がある。
【発明を実施するための最良の形態】
【００１０】
以下、本発明の実施の形態を図面に基づいて詳細に説明する。
図１は、本発明の実施形態に係るシステムの構成を示す図、図２は、本発明の実施形態に係るシステムブロック図、図３は、本発明の実施形態に係るシステムを利用した際の商品選択用の表示画面内容を示す図、図４は、本発明の実施形態に係るシステムを利用した際の試着イメージ用の表示画面内容を示す図、図５は、本発明の実施形態に係る処理手順を示すフローチャート図である。
【００１１】
本発明の実施形態に係るインターネットを利用した情報提供システムは、図１に示すように、顧客宅１などに設けられた通信端末２と、オンラインショッピングなどを行う商品情報管理センター３等に設置され、インターネット５を介して通信端末２と通信可能に接続された商品情報管理サーバ４とから構成されている。
また、顧客６は、デジタルカメラ７やカメラ付き携帯電話機８などの撮影装置を使用することで、顧客自身の体型の外観でわかる状態の被写体を撮影して、顧客６の体型画像のデジタル画像体型データをこれらの撮影機器に取り込む。
ここで、顧客自身の体型がわかる状態とは、例えば、顧客が水着や肌着だけを着た状態などの姿で、商品である衣服を着る前の状態を撮影しておくことが好ましい。
【００１２】
そして、撮影機器に取り込んだデジタル画像体型データは、接続ケーブルを介するなどして撮影機器から公知の方法により通信端末２に入力することで、通信端末２の記憶手段に記憶させ、インターネット５を介して通信端末２から商品情報管理サーバ４にデジタル画像体型データを送信することで、商品情報管理サーバ４による試着イメージデータの作成が行なえるようにしてある。
【００１３】
次に、図２に示すシステムブロック図に基づいて、本発明の実施形態に係るシステム構成を説明する。
通信端末２には、表示手段９、通信手段１０、記憶手段１１、入力手段１２、インターフェース（Ｉ／Ｆ）１３、制御手段１４などを有している。
インターフェース（Ｉ／Ｆ）１３は、デジタルカメラ７やカメラ付き携帯電話機８などの撮影装置に備えられているインターフェースとの間で、接続ケーブルにより接続させ、撮影装置で撮影して取り込んだ顧客自身の体型画像のデジタル画像体型データを、撮影装置から通信端末２の記憶手段１１に書き込めるようになっている。
【００１４】
また、通信端末２の表示手段９は、商品情報管理サーバ４から受信した試着イメージデータや商品情報を表示し、入力手段１２は、キーボードやマウスにより情報の入力や、クリックによる指示信号の入力を行なうことができる。
そして、通信端末２は、通信手段１９を介してインターネット５に接続され、商品情報管理サーバ４にアクセス可能になっている。
【００１５】
次に、商品情報管理サーバ４には、商品画像データベース１５、商品情報データベース１６、通信手段１７、記憶手段１８、抽出手段１９、試着イメージデータ作成手段２０、試着イメージデータ・商品情報送信手段２１、制御手段２２、などを有している。
商品画像データベース１５には、商品アイテム毎に管理するために設定された商品番号と、その商品の外観を示したイメージ画像のイメージ画像データとが関係付けられた状態で登録されている。
また、商品情報データベース１６には、商品番号と関係付けられて、種々の商品情報が登録されている。
【００１６】
商品情報データベース１６に登録されている商品情報としては、商品価格情報、洗濯方法やアイロン使用方法や絞り方干し方などに関する表示（以下、洗濯方法表示という。）などの情報等がある。
【００１７】
抽出手段１９は、商品情報管理サーバ４が通信端末２から受信した商品番号に基づいて、商品画像データベース１５と商品情報データベース１６とに登録されている情報の中から、その商品番号と関係付けられて登録されているデジタル画像商品データと商品情報とを抽出する機能を有している。
【００１８】
試着イメージデータ作成手段２０は、抽出手段１９で抽出されたデジタル画像商品データと、商品情報管理サーバ４が通信端末２から受信したデジタル画像体型データとを組み合わせて試着イメージデータを作成する機能を有している。
この試着イメージデータは、顧客６の体型画像に対して商品である衣服を着せて試着させた状態を示すデータである。
また、試着イメージデータ・商品情報送信手段２１は、試着イメージデータ作成手段２０で作成された試着イメージデータや、商品情報データベース１６で商品番号と関係付けられて登録されている商品情報を通信端末１に送信する機能を有している。
【００１９】
次に、通信端末１が商品情報管理サーバ４から受信した情報に基づいて、通信端末１の表示手段９に表示される表示内容の一例を、図３及び図４により説明する。
まず、図３には、顧客側の通信端末１から商品情報管理サーバ４に送信されたデジタル画像体型データに基づいて表示される顧客６の体型画像２２と、商品選択用の商品番号表示２３と、商品の外観デザインを表示した商品デザイン表示２４と、商品価格や洗濯方法表示が表示されている商品説明表示２５と、操作説明表示２６とが、通信端末１の表示手段９の画面に表示されている状態が示されている。
【００２０】
顧客６は、図３に示されている画面表示を見ることで、少なくとも商品の外観デザインと、各商品の商品価格や洗濯方法とを確認することができる。
特に、この表示により、顧客がある商品のデザインを気に入ったとしても、商品価格や洗濯方法に対して納得できないなどの判断を行なうことができるようにしてある。
【００２１】
更に、その顧客６が、試着した場合のイメージを知りたい時には、操作説明表示２６に記載されているように、試着を希望する商品の商品番号表示２３の部分をクリックすることで、図４に示すような、試着イメージ画像２７が表示される。
図４には、顧客６が図３に示されている画面表示において、商品番号１２をクリックした場合に表示される試着イメージ画像２７である。
このように、顧客６は、通信端末１を自分で操作することで、各商品について自由に試着イメージ画像２７を見ることができるようになっている。
【００２２】
そして、顧客６が、商品の商品価格や洗濯方法について納得し、更に試着イメージ画像２７を見ることで商品を気に入った場合には、購入と表示されている購入申込表示部分２８をクリックすることで、オンラインショッピングでの購入が行なえるようにしてある。
【００２３】
次に、本発明の実施形態に係るインターネットを利用した情報提供システムの処理手順を、図５のフローチャート図に基づいて説明する。
まず、顧客６は、デジタルカメラ７やカメラ付き携帯電話機８などの撮影装置を使用して、顧客自身の体型が外観でわかる状態の被写体を撮影した後に、顧客６の体型画像のデジタル画像体型データを撮影機器から通信端末２に入力する。（ステップＳ１）
次に、顧客６は、通信端末１を使用して、オンラインショッピングサイトの商品情報管理サーバ４にアクセスする。（ステップＳ２）
【００２４】
通信端末１から商品情報管理サーバ４にデジタル画像体型データを送信し、商品情報管理サーバ４の記憶手段に登録する。（ステップＳ３）
顧客６は、商品情報管理サーバ４から送信されてきた画面表示情報に基づき、通信端末１の入力手段１２を操作することで、図３に示すような、体型画像２２、商品番号表示２３、商品デザイン表示２４、商品説明表示２５、操作説明表示２６などの受信情報を表示手段９に表示させる。（ステップＳ４）
【００２５】
次に、顧客６は、図３に示す画面表示を見ながら、試着を希望する商品の商品番号表示２３の部分をクリックすることで、商品の指定を行なう。（ステップＳ５）
商品情報管理サーバ４は、顧客から指定された商品番号に基づいて、商品画像データベース１５からこの商品番号に関係付けて登録されているデジタル画像商品データを抽出する。（ステップＳ６）
そして、商品情報管理サーバ４において、この抽出されたデジタル画像商品データと、既に記憶手段１８に登録されているデジタル画像体型データとを合成して試着イメージ画像データを作成する。（ステップＳ７）
【００２６】
商品情報管理サーバ４から通信端末１に、試着イメージ画像データを送信する。（ステップＳ８）
そして、通信端末１の表示手段９に試着イメージ画像を表示させる。（ステップＳ９）
そして、顧客６が、試着イメージ画像を見て気に入り、この商品を購入する場合には、表示手段９に表示されている購入申込表示部分２８をクリックすることで、商品購入申込み情報が通信端末１から商品情報管理サーバ４に送信される。（ステップＳ１０）
以上の処理により、顧客６は、商品価格と、洗濯方法やアイロン使用方法や絞り方干し方などに関する表示を見ることで洗濯方法の確認を行ない、更に、自分がその商品を試着したイメージの確認も行なうことで、納得して商品の購入申込みを行なうことができるようにしてある。
【図面の簡単な説明】
【００２７】
【図１】本発明の実施形態に係るシステムの構成を示す図である。
【図２】本発明の実施形態に係るシステムブロック図である。
【図３】本発明の実施形態に係るシステムを利用した際の商品選択用の表示内容を示す図である。
【図４】本発明の実施形態に係るシステムを利用した際の試着イメージ用の表示内容を示す図である。
【図５】本発明の実施形態に係る処理手順を示すフローチャート図である。
【符号の説明】
【００２８】
１  顧客宅
２  通信端末
３  商品情報管理センター
４  商品情報管理サーバ
５  インターネット
６  顧客
７  デジタルカメラ
８  カメラ付き携帯電話機
９  表示手段
１０，１７  通信手段
１１，１８  記憶手段
１２  入力手段
１３  インターフェース（Ｉ／Ｆ）
１４  制御手段
１５  商品画像データベース
１６  商品情報データベース
１９  抽出手段
２０  試着イメージデータ作成手段
２１  試着イメージデータ・商品情報送信手段
２２  顧客の体型画像
２３  商品番号表示
２４  商品デザイン表示
２５  商品説明表示
２６  操作説明表示
２７  試着イメージ画像
２８  購入申込表示部分
【図１】
2006251839.tif 000003
【図２】
2006251839.tif 000004
【図３】
2006251839.tif 000005
【図４】
2006251839.tif 000006
【図５】
2006251839.tif 000007